【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
送信機ユーザ機器（ＵＥ）によって行われるワイヤレス通信の方法であって、
受信機ＵＥにビークルツーエブリシング（Ｖ２Ｘ）通信を送信するために使用されるべきビームを決定することと、
前記ビームに関連付けられたスケジュールに少なくとも部分的に基づいて、前記Ｖ２Ｘ通信のための候補である、前記決定されたビームの１つまたは複数の適格なリソースブロックを決定することと、ここにおいて、前記受信機ＵＥに前記Ｖ２Ｘ通信を送信するために使用されるべき前記ビームと同じビーム方向に前記１つまたは複数のリソースブロックを使用して１つまたは複数のネイバーＵＥが通信している場合、前記スケジュール中の１つまたは複数のリソースブロックが不適格であると決定され、
前記受信機ＵＥに、前記Ｖ２Ｘ通信のための候補である、前記ビームの前記１つまたは複数の適格なリソースブロックを示す提案されるスケジュールを送信することと、
前記提案されるスケジュールの送信に少なくとも部分的に基づいて、前記ビームを介して前記受信機ＵＥに前記Ｖ２Ｘ通信を送信することと
を備える、方法。
【請求項２】
前記Ｖ２Ｘ通信は、前記提案されるスケジュールの確認を前記受信機ＵＥから受信したことに少なくとも部分的に基づいて、前記ビームの前記１つまたは複数の適格なリソースブロックを使用して前記受信機ＵＥに送信される、請求項１に記載の方法。
【請求項３】
前記受信機ＵＥから、前記提案されるスケジュールの拒否を受信することと、
前記受信機ＵＥから、更新されたスケジュールを受信することと、
前記更新されたスケジュールに少なくとも部分的に基づいて、前記Ｖ２Ｘ通信のために使用されるべき前記ビームの異なる１つまたは複数の適格なリソースブロックを決定することと、
前記ビームの前記異なる１つまたは複数の適格なリソースブロックを使用して前記受信機ＵＥに前記Ｖ２Ｘ通信を送信することとをさらに備え、
前記Ｖ２Ｘ通信は、前記異なる１つまたは複数の適格なリソースブロックを示す、異なる提案されるスケジュールの確認を前記受信機ＵＥから受信したことに少なくとも部分的に基づいて、前記ビームの前記異なる１つまたは複数の適格なリソースブロックを使用して前記受信機ＵＥに送信される、請求項１に記載の方法。
【請求項４】
前記１つまたは複数の適格なリソースブロックは、前記ビームに関連付けられた更新されたスケジュールを受信した後に決定され、前記更新されたスケジュールは、前記Ｖ２Ｘ通信を送信するために前記スケジュール中に十分な適格なリソースブロックがないという初期決定の後に受信される、請求項１に記載の方法。
【請求項５】
前記Ｖ２Ｘ通信を送信するために使用されるべき１つまたは複数の選択されたリソースブロックを示すように前記ビームの前記スケジュールを更新することと、
前記ビームの前記更新されたスケジュールを１つまたは複数のネイバーＵＥに送信することとをさらに備える、請求項１に記載の方法。
【請求項６】
前記スケジュールは、
前記送信機ＵＥの１つまたは複数のスケジュールされたＶ２Ｘ通信、
前記受信機ＵＥの１つまたは複数のスケジュールされたＶ２Ｘ通信、
前記受信機ＵＥとは異なる１つまたは複数のネイバーＵＥの１つまたは複数のスケジュールされたＶ２Ｘ通信、あるいは
それらの組合せのうちの少なくとも１つに少なくとも部分的に基づいて決定され、
前記１つまたは複数のネイバーＵＥは、前記受信機ＵＥと同じビーム方向に関連付けられる、請求項１に記載の方法。
【請求項７】
前記受信機ＵＥに前記Ｖ２Ｘ通信を送信するために使用されるべき前記ビームと同じビーム方向に前記１つまたは複数のリソースブロックを使用して通信しているネイバーＵＥがいない場合、前記スケジュール中の１つまたは複数のリソースブロックが適格であると決定される、請求項１に記載の方法。
【請求項８】
前記１つまたは複数の適格なリソースブロックは、前記Ｖ２Ｘ通信に関連付けられたトラフィック需要に少なくとも部分的に基づいてさらに決定される、請求項１に記載の方法。
【請求項９】
前記スケジュールは、前記受信機ＵＥに前記Ｖ２Ｘ通信を送信するために使用されるべき前記ビームと同じビーム方向にスケジュールされた前記受信機ＵＥの１つまたは複数のＶ２Ｘ通信に少なくとも部分的に基づいて決定される、請求項１に記載の方法。
【請求項１０】
前記スケジュール中の前記１つまたは複数の適格なリソースブロックは、前記受信機ＵＥに前記Ｖ２Ｘ通信を送信するために使用されるべき前記ビームと前記同じビーム方向にスケジュールされた前記１つまたは複数のＶ２Ｘ通信と異なる周波数および同じ時間に関連付けられる、請求項９に記載の方法。
【請求項１１】
ワイヤレス通信のための命令を記憶する非一時的コンピュータ可読媒体であって、前記命令は、
送信機ユーザ機器（ＵＥ）の１つまたは複数のプロセッサによって実行されたとき、前記１つまたは複数のプロセッサに、請求項１〜１０のいずれかに記載の方法を行わせる１つまたは複数の命令を備える、非一時的コンピュータ可読媒体。
【請求項１２】
ワイヤレス通信のための送信機装置であって、
受信機装置にビークルツーエブリシング（Ｖ２Ｘ）通信を送信するために使用されるべきビームを決定するための手段と、
前記ビームに関連付けられたスケジュールに少なくとも部分的に基づいて、前記Ｖ２Ｘ通信のための候補である、前記決定されたビームの１つまたは複数の適格なリソースブロックを決定するための手段と、ここにおいて、前記受信機ＵＥに前記Ｖ２Ｘ通信を送信するために使用されるべき前記ビームと同じビーム方向に前記１つまたは複数のリソースブロックを使用して１つまたは複数のネイバーＵＥが通信している場合、前記スケジュール中の１つまたは複数のリソースブロックが不適格であると決定され、
前記受信機装置に、前記Ｖ２Ｘ通信のための候補である、前記ビームの前記１つまたは複数の適格なリソースブロックを示す提案されるスケジュールを送信するための手段と、
前記提案されるスケジュールの送信に少なくとも部分的に基づいて、前記ビームを介して前記受信機装置に前記Ｖ２Ｘ通信を送信するための手段と
を備える、送信機装置。
【請求項１３】
前記Ｖ２Ｘ通信は、前記提案されるスケジュールの確認を前記受信機装置から受信したことに少なくとも部分的に基づいて、前記ビームの前記１つまたは複数の適格なリソースブロックを使用して前記受信機装置に送信される、請求項１２に記載の送信機装置。
【請求項１４】
前記受信機装置から、前記提案されるスケジュールの拒否を受信するための手段と、
前記受信機装置から、更新されたスケジュールを受信するための手段と、
前記更新されたスケジュールに少なくとも部分的に基づいて、前記Ｖ２Ｘ通信のために使用されるべき前記ビームの異なる１つまたは複数の適格なリソースブロックを決定するための手段と、
前記ビームの前記異なる１つまたは複数の適格なリソースブロックを使用して前記受信機装置に前記Ｖ２Ｘ通信を送信するための手段とをさらに備える、請求項１２に記載の送信機装置。
【請求項１５】
前記スケジュールは、
前記送信機装置の１つまたは複数のスケジュールされたＶ２Ｘ通信、
前記受信機装置の１つまたは複数のスケジュールされたＶ２Ｘ通信、
前記受信機装置とは異なる１つまたは複数のネイバー装置の１つまたは複数のスケジュールされたＶ２Ｘ通信、あるいは
それらの組合せのうちの少なくとも１つに少なくとも部分的に基づいて決定される、請求項１２に記載の送信機装置。
【手続補正２】
【補正対象書類名】明細書
【補正対象項目名】０１０５
【補正方法】変更
【補正の内容】
【０１０５】
[00109]  本明細書で使用されるいかなる要素、行為、または命令も、明示的にそのように説明されない限り、重要または必須と解釈されるべきではない。また、本明細書で使用されるように、冠詞「ａ」および「ａｎ」は、１つまたは複数の項目を含むものであり、「１つまたは複数」と互換的に使用され得る。さらに、本明細書で使用されるように、「セット」および「グループ」という用語は、１つまたは複数の項目（例えば、関係する項目、無関係の項目、関係する項目と無関係の項目の組合せなど）を含むものであり、「１つまたは複数」と互換的に使用され得る。ただ１つの項目が意図される場合、「１つ（one）」という用語または同様の言い回しが使用される。また、本明細書で使用されるように、「有する（has）」、「有する（have）」、「有する（having）」などの用語は、オープンエンド用語であるものとする。さらに、「に基づく」という句は、別段に明記されていない限り、「に少なくとも部分的に基づく」を意味するものである。
以下に、本願の出願当初の特許請求の範囲に記載された発明を付記する。
［Ｃ１］
送信機ユーザ機器（ＵＥ）によって行われるワイヤレス通信の方法であって、
受信機ＵＥにビークルツーエブリシング（Ｖ２Ｘ）通信を送信するために使用されるべきビームを決定することと、
前記ビームに関連付けられたスケジュールに少なくとも部分的に基づいて、前記Ｖ２Ｘ通信のための候補である、前記ビームの１つまたは複数の適格なリソースブロックを決定することと、
前記受信機ＵＥに、前記Ｖ２Ｘ通信のための候補である、前記ビームの前記１つまたは複数の適格なリソースブロックを示す提案されるスケジュールを送信することと、
前記提案されるスケジュールの送信に少なくとも部分的に基づいて、前記ビームを介して前記受信機ＵＥに前記Ｖ２Ｘ通信を送信することとを備える、方法。
［Ｃ２］
前記Ｖ２Ｘ通信は、前記提案されるスケジュールの確認を前記受信機ＵＥから受信したことに少なくとも部分的に基づいて、前記ビームの前記１つまたは複数の適格なリソースブロックを使用して前記受信機ＵＥに送信される、Ｃ１に記載の方法。
［Ｃ３］
前記受信機ＵＥから、前記提案されるスケジュールの拒否を受信することと、
前記受信機ＵＥから、更新されたスケジュールを受信することと、
前記更新されたスケジュールに少なくとも部分的に基づいて、前記Ｖ２Ｘ通信のために使用されるべき前記ビームの異なる１つまたは複数の適格なリソースブロックを決定することと、
前記ビームの前記異なる１つまたは複数の適格なリソースブロックを使用して前記受信機ＵＥに前記Ｖ２Ｘ通信を送信することとをさらに備える、Ｃ１に記載の方法。
［Ｃ４］
前記Ｖ２Ｘ通信は、前記異なる１つまたは複数の適格なリソースブロックを示す、異なる提案されるスケジュールの確認を前記受信機ＵＥから受信したことに少なくとも部分的に基づいて、前記ビームの前記異なる１つまたは複数の適格なリソースブロックを使用して前記受信機ＵＥに送信される、Ｃ３に記載の方法。
［Ｃ５］
前記１つまたは複数の適格なリソースブロックは、前記ビームに関連付けられた更新されたスケジュールを受信した後に決定される、Ｃ１に記載の方法。
［Ｃ６］
前記更新されたスケジュールは、前記Ｖ２Ｘ通信を送信するために前記スケジュール中に十分な適格なリソースブロックがないという初期決定の後に受信される、Ｃ５に記載の方法。
［Ｃ７］
前記Ｖ２Ｘ通信を送信するために使用されるべき１つまたは複数の選択されたリソースブロックを示すように前記ビームの前記スケジュールを更新することと、
前記ビームの前記更新されたスケジュールを１つまたは複数のネイバーＵＥに送信することとをさらに備える、Ｃ１に記載の方法。
［Ｃ８］
前記スケジュールは、
前記送信機ＵＥの１つまたは複数のスケジュールされたＶ２Ｘ通信、
前記受信機ＵＥの１つまたは複数のスケジュールされたＶ２Ｘ通信、
前記受信機ＵＥとは異なる１つまたは複数のネイバーＵＥの１つまたは複数のスケジュールされたＶ２Ｘ通信、あるいは
それらの組合せのうちの少なくとも１つに少なくとも部分的に基づいて決定される、Ｃ１に記載の方法。
［Ｃ９］
前記１つまたは複数のネイバーＵＥは、前記受信機ＵＥと同じビーム方向に関連付けられる、Ｃ８に記載の方法。
［Ｃ１０］
前記受信機ＵＥに前記Ｖ２Ｘ通信を送信するために使用されるべき前記ビームと同じビーム方向に前記１つまたは複数のリソースブロックを使用して１つまたは複数のネイバーＵＥが通信している場合、前記スケジュール中の１つまたは複数のリソースブロックが不適格であると決定される、Ｃ１に記載の方法。
［Ｃ１１］
前記受信機ＵＥに前記Ｖ２Ｘ通信を送信するために使用されるべき前記ビームと同じビーム方向に前記１つまたは複数のリソースブロックを使用して通信しているネイバーＵＥがいない場合、前記スケジュール中の１つまたは複数のリソースブロックが適格であると決定される、Ｃ１に記載の方法。
［Ｃ１２］
前記１つまたは複数の適格なリソースブロックは、前記Ｖ２Ｘ通信に関連付けられたトラフィック需要に少なくとも部分的に基づいてさらに決定される、Ｃ１に記載の方法。
［Ｃ１３］
前記スケジュールは、前記受信機ＵＥに前記Ｖ２Ｘ通信を送信するために使用されるべき前記ビームと同じビーム方向にスケジュールされた前記受信機ＵＥの１つまたは複数のＶ２Ｘ通信に少なくとも部分的に基づいて決定される、Ｃ１に記載の方法。
［Ｃ１４］
前記スケジュール中の前記１つまたは複数の適格なリソースブロックは、前記受信機ＵＥに前記Ｖ２Ｘ通信を送信するために使用されるべき前記ビームと前記同じビーム方向にスケジュールされた前記１つまたは複数のＶ２Ｘ通信と異なる周波数および同じ時間に関連付けられる、Ｃ１３に記載の方法。
［Ｃ１５］
メモリと、
前記メモリに動作可能に結合された１つまたは複数のプロセッサとを備える、ワイヤレス通信のための送信機ユーザ機器（ＵＥ）であって、
前記メモリおよび前記１つまたは複数のプロセッサが、
受信機ＵＥにビークルツーエブリシング（Ｖ２Ｘ）通信を送信するために使用されるべきビームを決定することと、
前記ビームに関連付けられたスケジュールに少なくとも部分的に基づいて、前記Ｖ２Ｘ通信のための候補である、前記ビームの１つまたは複数の適格なリソースブロックを決定することと、
前記受信機ＵＥに、前記Ｖ２Ｘ通信のための候補である、前記ビームの前記１つまたは複数の適格なリソースブロックを示す提案されるスケジュールを送信することと、
前記提案されるスケジュールの送信に少なくとも部分的に基づいて、前記ビームを介して前記受信機ＵＥに前記Ｖ２Ｘ通信を送信することとを行うように構成された、送信機ＵＥ。
［Ｃ１６］
前記Ｖ２Ｘ通信は、前記提案されるスケジュールの確認を前記受信機ＵＥから受信したことに少なくとも部分的に基づいて、前記ビームの前記１つまたは複数の適格なリソースブロックを使用して前記受信機ＵＥに送信される、Ｃ１５に記載の送信機ＵＥ。
［Ｃ１７］
前記１つまたは複数のプロセッサは、
前記受信機ＵＥから、前記提案されるスケジュールの拒否を受信することと、
前記受信機ＵＥから、更新されたスケジュールを受信することと、
前記更新されたスケジュールに少なくとも部分的に基づいて、前記Ｖ２Ｘ通信のために使用されるべき前記ビームの異なる１つまたは複数の適格なリソースブロックを決定することと、
前記ビームの前記異なる１つまたは複数の適格なリソースブロックを使用して前記受信機ＵＥに前記Ｖ２Ｘ通信を送信することとを行うようにさらに構成された、Ｃ１５に記載の送信機ＵＥ。
［Ｃ１８］
前記１つまたは複数の適格なリソースブロックは、前記ビームに関連付けられた更新されたスケジュールを受信した後に決定され、ここにおいて、前記更新されたスケジュールは、前記Ｖ２Ｘ通信を送信するために前記スケジュール中に十分な適格なリソースブロックがないという初期決定の後に受信される、Ｃ１５に記載の送信機ＵＥ。
［Ｃ１９］
前記１つまたは複数のプロセッサは、
前記Ｖ２Ｘ通信を送信するために使用されるべき１つまたは複数の選択されたリソースブロックを示すように前記ビームの前記スケジュールを更新することと、
前記ビームの前記更新されたスケジュールを１つまたは複数のネイバーＵＥに送信することとを行うようにさらに構成された、Ｃ１５に記載の送信機ＵＥ。
［Ｃ２０］
前記スケジュールは、
前記送信機ＵＥの１つまたは複数のスケジュールされたＶ２Ｘ通信、
前記受信機ＵＥの１つまたは複数のスケジュールされたＶ２Ｘ通信、
前記受信機ＵＥとは異なる１つまたは複数のネイバーＵＥの１つまたは複数のスケジュールされたＶ２Ｘ通信、あるいは
それらの組合せのうちの少なくとも１つに少なくとも部分的に基づいて決定される、Ｃ１５に記載の送信機ＵＥ。
［Ｃ２１］
前記受信機ＵＥに前記Ｖ２Ｘ通信を送信するために使用されるべき前記ビームと同じビーム方向に前記１つまたは複数の第１のリソースブロックを使用して１つまたは複数のネイバーＵＥが通信している場合、前記スケジュール中の１つまたは複数の第１のリソースブロックが不適格であると決定されるか、あるいは前記受信機ＵＥに前記Ｖ２Ｘ通信を送信するために使用されるべき前記ビームと同じビーム方向に前記１つまたは複数の第２のリソースブロックを使用して通信しているネイバーＵＥがいない場合、前記スケジュール中の１つまたは複数の第２のリソースブロックが適格であると決定される、Ｃ１５に記載の送信機ＵＥ。
［Ｃ２２］
前記スケジュールは、前記受信機ＵＥに前記Ｖ２Ｘ通信を送信するために使用されるべき前記ビームと同じビーム方向にスケジュールされた前記受信機ＵＥの１つまたは複数のＶ２Ｘ通信に少なくとも部分的に基づいて決定される、Ｃ１５に記載の送信機ＵＥ。
［Ｃ２３］
ワイヤレス通信のための命令を記憶する非一時的コンピュータ可読媒体であって、前記命令は、
送信機ユーザ機器（ＵＥ）の１つまたは複数のプロセッサによって実行されたとき、前記１つまたは複数のプロセッサに、
受信機ＵＥにビークルツーエブリシング（Ｖ２Ｘ）通信を送信するために使用されるべきビームを決定することと、
前記ビームに関連付けられたスケジュールに少なくとも部分的に基づいて、前記Ｖ２Ｘ通信のための候補である、前記ビームの１つまたは複数の適格なリソースブロックを決定することと、
前記受信機ＵＥに、前記Ｖ２Ｘ通信のための候補である、前記ビームの前記１つまたは複数の適格なリソースブロックを示す提案されるスケジュールを送信することと、
前記提案されるスケジュールの送信に少なくとも部分的に基づいて、前記ビームを介して前記受信機ＵＥに前記Ｖ２Ｘ通信を送信することとを行わせる１つまたは複数の命令を備える、非一時的コンピュータ可読媒体。
［Ｃ２４］
前記Ｖ２Ｘ通信は、前記提案されるスケジュールの確認を前記受信機ＵＥから受信したことに少なくとも部分的に基づいて、前記ビームの前記１つまたは複数の適格なリソースブロックを使用して前記受信機ＵＥに送信される、Ｃ２３に記載の非一時的コンピュータ可読媒体。
［Ｃ２５］
前記１つまたは複数の命令は、前記１つまたは複数のプロセッサに、
前記受信機ＵＥから、前記提案されるスケジュールの拒否を受信することと、
前記受信機ＵＥから、更新されたスケジュールを受信することと、
前記更新されたスケジュールに少なくとも部分的に基づいて、前記Ｖ２Ｘ通信のために使用されるべき前記ビームの異なる１つまたは複数の適格なリソースブロックを決定することと、
前記ビームの前記異なる１つまたは複数の適格なリソースブロックを使用して前記受信機ＵＥに前記Ｖ２Ｘ通信を送信することとをさらに行わせる、Ｃ２３に記載の非一時的コンピュータ可読媒体。
［Ｃ２６］
前記スケジュールは、
前記送信機ＵＥの１つまたは複数のスケジュールされたＶ２Ｘ通信、
前記受信機ＵＥの１つまたは複数のスケジュールされたＶ２Ｘ通信、
前記受信機ＵＥとは異なる１つまたは複数のネイバーＵＥの１つまたは複数のスケジュールされたＶ２Ｘ通信、あるいは
それらの組合せのうちの少なくとも１つに少なくとも部分的に基づいて決定される、Ｃ２３に記載の非一時的コンピュータ可読媒体。
［Ｃ２７］
ワイヤレス通信のための送信機装置であって、
受信機装置にビークルツーエブリシング（Ｖ２Ｘ）通信を送信するために使用されるべきビームを決定するための手段と、
前記ビームに関連付けられたスケジュールに少なくとも部分的に基づいて、前記Ｖ２Ｘ通信のための候補である、前記ビームの１つまたは複数の適格なリソースブロックを決定するための手段と、
前記受信機装置に、前記Ｖ２Ｘ通信のための候補である、前記ビームの前記１つまたは複数の適格なリソースブロックを示す提案されるスケジュールを送信するための手段と、
前記提案されるスケジュールの送信に少なくとも部分的に基づいて、前記ビームを介して前記受信機装置に前記Ｖ２Ｘ通信を送信するための手段とを備える、送信機装置。
［Ｃ２８］
前記Ｖ２Ｘ通信は、前記提案されるスケジュールの確認を前記受信機装置から受信したことに少なくとも部分的に基づいて、前記ビームの前記１つまたは複数の適格なリソースブロックを使用して前記受信機装置に送信される、Ｃ２７に記載の送信機装置。
［Ｃ２９］
前記受信機装置から、前記提案されるスケジュールの拒否を受信するための手段と、
前記受信機装置から、更新されたスケジュールを受信するための手段と、
前記更新されたスケジュールに少なくとも部分的に基づいて、前記Ｖ２Ｘ通信のために使用されるべき前記ビームの異なる１つまたは複数の適格なリソースブロックを決定するための手段と、
前記ビームの前記異なる１つまたは複数の適格なリソースブロックを使用して前記受信機装置に前記Ｖ２Ｘ通信を送信するための手段とをさらに備える、Ｃ２７に記載の送信機装置。
［Ｃ３０］
前記スケジュールは、
前記送信機装置の１つまたは複数のスケジュールされたＶ２Ｘ通信、
前記受信機装置の１つまたは複数のスケジュールされたＶ２Ｘ通信、
前記受信機装置とは異なる１つまたは複数のネイバー装置の１つまたは複数のスケジュールされたＶ２Ｘ通信、あるいは
それらの組合せのうちの少なくとも１つに少なくとも部分的に基づいて決定される、Ｃ２７に記載の送信機装置。